(57)【要約】【課題】騒音を防止すると共に、ヒートシンクに対するファンの位置決めを行うことができ、効率的にファンをヒートシンクに固定することができる支持具付きファン、ファン、及び映像表示装置を提供する。【解決手段】枠部２０を有しており、ヒートシンクを冷却するファン２と、ファン２及びヒートシンクが対向するようにファン２を支持する支持具１とを備える支持具付きファンＡにおいて、振動がファン２から支持具１へ伝達することを防止する防振ゴム３，３，３を保持する第１乃至第３防振ゴム保持部２１，２２，２３を枠部２０に備え、支持具１には、ヒートシンクに対するファン２の固定箇所を位置決めするための穴部１１ｂ，１１ｃを備え、第１乃至第３防振ゴム保持部２１，２２，２３に保持された防振ゴム３，３，３を介してファン２を支持するように構成する。また、支持具付きファンＡを映像表示装置に備える。【選択図】図１
2008130766.tif 000002
【特許請求の範囲】
【請求項１】
枠部を有し、ヒートシンクを冷却するファンと、該ファン及びヒートシンクが対向するように前記ファンを支持する支持具とを備える支持具付きファンにおいて、
振動が前記ファンから前記支持具へ伝達することを防止する防振部材を備え、
前記枠部は、
前記防振部材を保持する防振部材保持部を備えており、
前記支持具は、
前記防振部材保持部に保持された前記防振部材を介して前記ファンを支持するようにしてある
ことを特徴とする支持具付きファン。
【請求項２】
前記支持具は、
ヒートシンクに対する前記ファンの固定箇所を位置決めするための穴部又は凸部を備える
ことを特徴とする請求項１に記載の支持具付きファン。
【請求項３】
前記枠部は、複数の前記防振部材保持部を備え、
該複数の防振部材保持部は、
前記枠部から外側へ突出し、前記防振部材を挟持する凹状をなしている
ことを特徴とする請求項１又は請求項２に記載の支持具付きファン。
【請求項４】
前記防振部材は前記支持具に固定されており、
前記複数の防振部材保持部は、
凹状部分の開口方向が略一致するようにしてある
ことを特徴とする請求項３に記載の支持具付きファン。
【請求項５】
前記防振部材は前記支持具に固定されており、
前記複数の防振部材保持部は、
凹状部分の開口方向が異なるようにしてある
ことを特徴とする請求項３に記載の支持具付きファン。
【請求項６】
前記防振部材は前記支持具に固定されており、
前記複数の防振部材保持部は、
凹状部分の開口方向が前記枠部の一の周方向に略一致するようにしてある
ことを特徴とする請求項３に記載の支持具付きファン。
【請求項７】
枠部を有するファンにおいて、
前記枠部は、振動が前記ファンから該ファンを支持する支持具へ伝達することを防止する防振部材を保持する防振部材保持部を備えることを特徴とするファン。
【請求項８】
前記枠部は、複数の前記防振部材保持部を備え、
該複数の防振部材保持部は、
前記枠部から外側へ突出し、前記防振部材を挟持する凹状をなしている
ことを特徴とする請求項７に記載のファン。
【請求項９】
前記複数の防振部材保持部は、
凹状部分の開口方向が略一致するようにしてある
ことを特徴とする請求項８に記載のファン。
【請求項１０】
前記複数の防振部材保持部は、
凹状部分の開口方向が異なるようにしてある
ことを特徴とする請求項８に記載のファン。
【請求項１１】
前記複数の防振部材保持部は、
凹状部分の開口方向が前記枠部の一の周方向に略一致するようにしてある
ことを特徴とする請求項８に記載のファン。
【請求項１２】
請求項１乃至請求項６のいずれか一つに記載の支持具付きファンと、
映像を表示する映像表示部と、
該映像表示部で発生した熱を放熱するヒートシンクと
を備えることを特徴とする映像表示装置。
【請求項１３】
請求項３乃至請求項６のいずれか一つに記載の支持具付きファンと、
映像を表示する映像表示部と、
該映像表示部で発生した熱を放熱するヒートシンクと
を備え、
前記支持具は、前記複数の防振部材が下方に偏在するように、前記ヒートシンクに固定されている
ことを特徴とする映像表示装置。
【発明の詳細な説明】
【技術分野】
【０００１】
本発明は、ヒートシンクに対向配置可能な支持具付きファン、該支持具付きファンを構成するファン、及び前記支持具付きファンを備えた映像表示装置に関する。
【背景技術】
【０００２】
液晶テレビは、キャビネットに収容保持された透過型の液晶パネルを備えており、液晶パネルの背面側には、液晶パネルを照明する直下型バックライトユニットが配設されている。直下型バックライトユニットは、液晶パネルに対向した平皿状のバックライトシャーシ、該バックライトシャーシに並設された直管型の冷陰極蛍光管（CCFL:cold cathode fluorescent lamp）、光学シート、電気回路等を備えている。
【０００３】
バックライトシャーシは、冷陰極蛍光管、電気回路等で発生した熱を放熱するヒートシンクを兼ねており、バックライトシャーシの背面側には、ファンを支持したブリッジ型の支持具が固定されている。ファンが回転した場合、後キャビネットの下部に形成された吸気孔から外部の空気が吸気される。吸気された空気は、バックライトシャーシに沿って温められながら上昇し、後キャビネットの上部に形成された排気孔から外部へ排気される（例えば、特許文献１）。
なお、ファンを後キャビネットに設けた場合、液晶パネル、直下型バックライトユニット等が配設された前キャビネットと、後キャビネットとの間を配線する必要があるが、ファンをバックライトシャーシに設けた場合、前記配線が不要になるため、組立、保守点検が容易になる。
【特許文献１】特開２００６−５８６７９号公報
【発明の開示】
【発明が解決しようとする課題】
【０００４】
ところで、バックライトシャーシにファンを設けた場合、ファンの回転による振動がバックライトシャーシ及びキャビネットに伝達し、騒音が発生するという問題があった。
【０００５】
図１９は、騒音の問題を解決可能な支持具付きファンを模式的に示す斜視図である。上述の問題を解決する支持具付きファンは、脚部を有し、ヒートシンクに固定される支持具１と、支持具１に支持されると共にファン６０２が載置される台座１７と、支持具１及び台座１７間に介装される防振ゴム３とを備えている。
【０００６】
図２０は、台座及びファンの分解斜視図、図２１は、台座及びファンの組立完成図である。ファン６０２は、四角筒状の枠部６２０を有しており、ファン固定用ねじ９が挿通する孔部が四隅に形成されている。台座１７は、ファン６０２が載置される載置枠を有している。載置枠は、中心部分に通気孔を有しており、ファン６０２の枠部に倣う矩形状をなしている。また、載置枠は防振ゴム３を保持する複数の防振ゴム保持部１７ａ，１７ｂ，１７ｃを有しており、防振ゴム保持部１７ａ，１７ｂ，１７ｃに保持された防振ゴム３を支持具１にビス止めすることにより、ファン６０２は支持具１に固定されている。
【０００７】
前記支持具付きファンにおいては、台座１７と支持具１との間に防振ゴム３が介装されているため、ファン６０２の振動が支持具１に伝達することを防ぎ、騒音の発生を防止することができる。
【０００８】
しかしながら、前記支持具付きファンは、ファン固定用ねじ９にてファン６０２を台座１７にねじ止めする構成であるため、ファン固定用ねじ９の頭部及び台座１７の幅だけ厚みが増すという問題あった。
また、支持具１と別体で構成された台座１７及びファン固定用ねじ９等が必要であり、部品点数が増加するという問題があった。
更に、台座１７とファン６０２との間に間隙が生ずると振動発生の原因となるため、台座１７には所定の面精度が要求されるという問題があった。
更にまた、ファン６０２の枠部６２０をねじ止めする構成であるため、ねじ止めトルクのばらつきにより、枠部６２０に撓みが生じ、騒音が発生するという問題があった。
【０００９】
本発明は、斯かる事情に鑑みてなされたものであり、ファンの枠部に防振部材保持部を形成することにより、厚み及び部品点数の増加を抑えつつ、ファンの回転による騒音を防止することができる支持具付きファン、該支持具付きファンを構成するファン及び前記支持具付きファンを備えた映像表示装置を提供することを目的とする。
【００１０】
本発明の他の目的は、ヒートシンクに対するファンの固定箇所を位置決めするための穴部又は凸部を支持具に備えることにより、ファンの回転による騒音を防止することができ、しかもヒートシンクに対するファンの位置決めを行い、効率的に支持具をヒートシンクに固定することができる支持具付きファン、該支持具付きファンを構成するファン及び前記支持具付きファンを備えた映像表示装置を提供することにある。
なお、映像表示装置のバックライトシャーシに支持具付きファンを設ける場合、温められた空気をキャビネットの外部へ効率的に排気すべく、バックライトシャーシに設けられたファンと、後キャビネットに形成された排気孔とが対向するように、支持具付きファンを位置決めする必要がある。
【００１１】
本発明の他の目的は、枠部から外側へ突出し、前記防振部材を挟持する凹状をなす複数の防振部材保持部を備えることにより、開口方向から防振部材を押し込むことで防振部材を保持させることができ、簡易に組立可能な支持具付きファン、該支持具付きファンを構成するファン及び前記支持具付きファンを備えた映像表示装置を提供することにある。
【００１２】
本発明の他の目的は、複数の防振部材保持部が有する凹状部分の開口方向が一致するように構成することにより、支持具に防振部材を固定した状態で、ファンを着脱することができ、組立及び保守点検を容易に行うことができる支持具付きファン、該支持具付きファンを構成するファン及び前記支持具付きファンを備えた映像表示装置を提供することにある。
【００１３】
本発明の他の目的は、複数の防振部材保持部が有する凹状部分の開口方向が異なるように構成することにより、ファンが支持具から脱落することを防止し、支持具付きファンの姿勢に関わらず安定してファンを支持することができる支持具付きファン、該支持具付きファンを構成するファン及び前記支持具付きファンを備えた映像表示装置を提供することにある。
【００１４】
本発明の他の目的は、複数の防振部材保持部が有する凹状部分の開口方向が枠部の一の周方向に略一致するように構成することにより、支持具に防振部材を固定した状態で、ファンを前記周方向に回転させることでファンを着脱することができ、しかもファンが支持具から脱落することを防止し、支持具付きファンの姿勢に関わらず安定してファンを支持することができる支持具付きファン、該支持具付きファンを構成するファン及び前記支持具付きファンを備えた映像表示装置を提供することにある。
【００１５】
本発明の他の目的は、複数の防振部材が下方に偏在するように、支持具をヒートシンクに固定することにより、防振部材が上方に偏在するように固定された場合に比べ、ファンの回転による振動又は落下による衝撃をより効果的に吸収することができる映像表示装置を提供することにある。
【課題を解決するための手段】
【００１６】
本発明に係る支持具付きファンは、枠部を有し、ヒートシンクを冷却するファンと、該ファン及びヒートシンクが対向するように前記ファンを支持する支持具とを備える支持具付きファンにおいて、振動が前記ファンから前記支持具へ伝達することを防止する防振部材を備え、前記枠部は、前記防振部材を保持する防振部材保持部を備えており、前記支持具は、前記防振部材保持部に保持された前記防振部材を介して前記ファンを支持するようにしてあることを特徴とする。
【００１７】
本発明に係る支持具付きファンは、前記支持具が、ヒートシンクに対する前記ファンの固定箇所を位置決めするための穴部又は凸部を備えることを特徴とする。
【００１８】
本発明に係る支持具付きファンは、前記枠部が、複数の前記防振部材保持部を備え、該複数の防振部材保持部は、前記枠部から外側へ突出し、前記防振部材を挟持する凹状をなしていることを特徴とする。
【００１９】
本発明に係る支持具付きファンは、前記防振部材が前記支持具に固定されており、前記複数の防振部材保持部は、凹状部分の開口方向が略一致するようにしてあることを特徴とする。
【００２０】
本発明に係る支持具付きファンは、前記防振部材が前記支持具に固定されており、前記複数の防振部材保持部は、凹状部分の開口方向が異なるようにしてあることを特徴とする。
【００２１】
本発明に係る支持具付きファンは、前記防振部材が前記支持具に固定されており、前記複数の防振部材保持部は、凹状部分の開口方向が前記枠部の一の周方向に略一致するようにしてあることを特徴とする。
【００２２】
本発明に係るファンは、枠部を有するファンにおいて、前記枠部は、振動が前記ファンから該ファンを支持する支持具へ伝達することを防止する防振部材を保持する防振部材保持部を備えることを特徴とする。
【００２３】
本発明に係るファンは、前記枠部は、複数の前記防振部材保持部を備え、該複数の防振部材保持部は、前記枠部から外側へ突出し、前記防振部材を挟持する凹状をなしていることを特徴とする。
【００２４】
本発明に係るファンは、前記複数の防振部材保持部が、凹状部分の開口方向が略一致するようにしてあることを特徴とする。
【００２５】
本発明に係るファンは、前記複数の防振部材保持部が、凹状部分の開口方向が異なるようにしてあることを特徴とする。
【００２６】
本発明に係るファンは、前記複数の防振部材保持部が、凹状部分の開口方向が前記枠部の一の周方向に略一致するようにしてあることを特徴とする。
【００２７】
本発明に係る映像表示装置は、上述のいずれか一つの支持具付きファンと、映像を表示する映像表示部と、該映像表示部で発生した熱を放熱するヒートシンクとを備えることを特徴とする。
【００２８】
本発明に係る映像表示装置は、上述のいずれか一つの支持具付きファンと、映像を表示する映像表示部と、該映像表示部で発生した熱を放熱するヒートシンクとを備え、前記支持具は、前記複数の防振部材が下方に偏在するように、前記ヒートシンクに固定されていることを特徴とする。
【００２９】
本発明にあっては、ファンは枠部に防振部材保持部を備えており、該防振部材保持部は防振部材を保持している。支持具は、防振部材保持部に保持された防振部材を介してファンを支持しているため、ファンの回転による振動は支持具に伝達しない。従って、ヒートシンクに対向するように支持具をヒートシンクに固定した場合であっても、ファンの回転による振動は、ヒートシンクに伝達せず、騒音が発生しない。
【００３０】
一方、映像表示装置にあっては、ファンの回転による振動が支持具、映像表示部で発生した熱を放熱するヒートシンクに伝達することを防止することができるため、騒音が発生しない。
【００３１】
本発明にあっては、支持具は、ヒートシンクに対してファンの固定箇所を位置決めするための穴部又は凸部を備えているため、ファンを支持した支持具をヒートシンクの所定箇所に効率的に固定することができる。
また、支持具は防振部材を介してファンを支持しているため、ファンの回転による振動は支持具に伝わらず、支持具が備えている穴部又は凸部とヒートシンクとの接触部分で騒音が発生することはない。
【００３２】
本発明にあっては、防振部材保持部は、枠部から外側へ突出しており、防振部材を挟持する凹状をなしている。従って、凹状の開口方向から防振部材を押し込むことにより、簡易に防振部材を防振部材保持部に保持させることができる。また、開口方向逆向きに防振部材を引っ張ることにより、簡易に防振部材を防振部材保持部から取り外すことができる。
【００３３】
本発明にあっては、防振部材の凹状部分の開口方向が略一致している。従って、支持具に防振部材を固定したまま、ファンを防振部材保持部の開口方向逆向きに移動させることにより、ファンを支持具から取り外すことができる。
逆に、取り外されたファンを防振部材保持部の開口方向へ移動させることにより、防振部材保持部に防振部材を保持させ、ファンを支持具に取り付けることができる。
【００３４】
本発明にあっては、防振部材の凹状部分の開口方向は異なる方向である。従って、一の防振部材保持部の開口方向逆向きの力がファンに働いた場合であっても、他の防振部材保持部には開口方向逆向きの力が働かないため、防振部材が防振部材から外れてファンが支持具から脱落することはない。
【００３５】
本発明にあっては、防振部材の凹状部分の開口方向は、枠部の一の周方向に略一致している。従って、支持具に防振部材を固定したまま、ファンを支持具に対して前記一の周方向と逆向きに回転させることにより、ファンを支持具から取り外すことができる。
また、取り外されたファンを支持具に対して前記一の周方向へ回転させることにより、防振部材保持部に防振部材を保持させ、ファンを支持具に取り付けることができる。
更に、防振部材の凹状部分の開口方向は異なる方向である。従って、一の防振部材保持部の開口方向逆向きの力がファンに働いた場合であっても、他の防振部材保持部には開口方向逆向きの力が働かないため、防振部材が防振部材保持部から外れてファンが支持具から脱落することはない。
【００３６】
本発明にあっては、支持具は防振部材が下方に偏在するようにヒートシンクに固定されている。従って、支持具及びファンの下部には、上部に比べてより大きい荷重が加わるが、防振部材は下方に偏在しているため、ファンの回転による振動、映像表示装置の落下の衝撃等をより効果的に吸収することができる。
【発明の効果】
【００３７】
本発明によれば、厚み及び部品点数の増加を抑えつつ、ファンの回転による騒音を防止することができる。
また、本発明にあっては、図１９に示した台座及びファン固定用ねじが不要であるため、台座及び頭部の幅だけ小型化することができ、部品点数の増加を抑えることができる。
更に、図１９に示すようにファンと台座とが接触することによって騒音が発生することはない。
更にまた、図１９に示すようにファンの枠部を台座にねじ止めすることが不要であるため、ねじ止めによって枠部が撓み、騒音が発生することを防止することができる。
【００３８】
本発明によれば、ファンの回転による騒音を防止することができ、しかもヒートシンクに対するファンの位置決めを行い、効率的に支持具をヒートシンクに固定することができる。
【００３９】
本発明によれば、防振部材保持部の開口方向から防振部材を押し込むことで防振部材を保持させることができ、簡易に支持具付きファンを組み立てることができる。
【００４０】
本発明によれば、支持具に防振部材を固定した状態で、ファンを着脱することができ、組立及び保守点検を容易に行うことができる。
【００４１】
本発明によれば、ファンが支持具から脱落することを防止し、支持具付きファンの姿勢に関わらず、ファンを安定して支持することができる。
【００４２】
本発明によれば、支持具に防振部材を固定した状態で、ファンを枠部の周方向に回転させることでファンを着脱することができる。
また、ファンが支持具から脱落することを防止し、支持具付きファンの姿勢に関わらず、安定してファンを支持することができる。
【００４３】
本発明によれば、防振部材が上方に偏在するようにファンがヒートシンクに固定された場合に比べ、ファンの回転による振動又は落下による衝撃をより効果的に吸収することができる。
【発明を実施するための最良の形態】
【００４４】
以下、本発明をその実施の形態を示す図面に基づいて詳述する。
（実施の形態１）
図１は、本発明の実施の形態１に係る支持具付きファンＡを模式的に示す斜視図、図２は、支持具付きファンＡを模式的に示す分解斜視図である。
図中Ａは、防振ゴム３，３，３を介してファン２を支持具１に固定してなる支持具付きファンであり、支持具付きファンＡは、図示しない板状のヒートシンクの所定箇所に対向配置可能に構成されている。
【００４５】
図３は、支持具１を模式的に示す正面図である。支持具１は、略正方形の四辺をなす第１乃至第４辺部分１０ａ，１０ｂ，１０ｃ，１０ｄを有しており、中心部に円形の通気孔１０ｅを形成した板状の支持枠１０を備えている。
【００４６】
支持枠１０の対向する第１辺部分１０ａ及び第２辺部分１０ｂには、該支持枠１０に対して略垂直に屈曲した矩形板状の第１乃至第３脚部１１，１２，１３が形成されている。特に第１脚部１１は、第１辺部分１０ａの第３辺部分１０ｃ寄りに形成されている。また、第２及び第３脚部１２，１３は、第２辺部分１０ｂの両端側に夫々形成されている。
【００４７】
第１乃至第３脚部１１，１２，１３の先端には、外側へ略垂直に屈曲しており、支持枠１０に略平行な第１乃至第３被固定板部１１ａ，１２ａ，１３ａが夫々形成されている。第１乃至第３被固定板部１１ａ，１２ａ，１３ａの適宜箇所には、支持具１をヒートシンクに固定するための支持具固定用ビス孔１１ｂ，１２ｂ，１３ｂが夫々形成されている。また、第１及び第２被固定板部１１ａ，１２ａには、支持具１を図示しないヒートシンクの所定箇所に位置決めするための第１及び第２穴部１１ｃ，１２ｃが夫々形成されている。
【００４８】
また、支持枠１０の第３辺部分１０ｃには、防振ゴム３，３の端面に当接している第１及び第２当接片１４，１５が通気孔１０ｅより外側へ延設されている。また、支持枠１０の第４辺部分１０ｄにも、防振ゴム３の端面に当接している第３当接片１６が通気孔１０ｅより外側へ延設されている。第１乃至第３当接片１４，１５，１６は、角部が湾曲した矩形状であり、防振ゴム３，３，３を介してファン２を支持具１に固定するためのビス孔１４ａ，１５ａ，１６ａが夫々形成されている。
【００４９】
図４は、ファン２を模式的に示す斜視図である。ファン２は、例えばブラシレスＤＣモータを備えた角型軸流ファンであり、四角筒状の枠部２０を備えている。枠部２０は、内側に延設された４本の腕部を備えている。該腕部は、モータが配された円盤状部分を、該モータの回転軸と枠部２０の中心線とが略一致するように支持している。モータは、円盤状部分に固定された固定子と、複数のインペラが周設された略円筒状の回転子とから構成されている。また、円盤状部分には、モータを駆動するための回路、例えばインバータ回路が配設されている。
【００５０】
枠部２０のモータを囲繞している四辺は、支持枠１０の四辺に倣うように形成されており、枠部２０の一辺には、第１及び第２当接片１４，１５に対向するように外側へ突出した第１及び第２防振ゴム保持部２１，２２が形成されている。また、前記一辺に対して略平行な他辺には、第３当接片１６に対向するように外側へ突出した第３防振ゴム保持部２３が形成されている。第１乃至第３防振ゴム保持部２１，２２，２３は、円柱状の防振ゴム３，３，３を挟持すべく、外側へ開口した凹状をなしている。
【００５１】
防振ゴム３，３，３は扁平略円柱状であり、外周面の中心軸方向略中央部には、第１乃至第３防振ゴム保持部２１，２２，２３にて挟持される縮径した被保持部３ａ，３ａ，３ａが形成されている。また、防振ゴム３，３，３は中心部にビス４，４，４が挿通する孔部３ｂ，３ｂ，３ｂが形成されている。そして、防振ゴム３，３，３は、第１乃至第３防振ゴム保持部２１，２２，２３に保持された状態で、支持具１の第１乃至第３当接片１４，１５，１６に当接しており、防振ゴム３，３，３の孔部３ｂ，３ｂ，３ｂを挿通したビス４，４，４がビス孔１４ａ，１５ａ，１６ａに螺合することによって、ファン２が支持具１に固定されている。
【００５２】
次に、支持具付きファンＡの組立方法を説明する。
図５は、防振ゴム３，３，３の取付方法を模式的に示す斜視図、図６は、第１乃至第３防振ゴム保持部２１，２２，２３に防振ゴム３，３，３を保持させたファン２を模式的に示す斜視図である。支持具付きファンＡを組み立てる場合、まず図２及び図５に示すように、防振ゴム３，３，３の被保持部３ａ，３ａ，３ａが第１乃至第３防振ゴム保持部２１，２２，２３の凹状部分に挟持されるように、防振ゴム３，３，３を第１乃至第３防振ゴム保持部２１，２２，２３に押し込み、保持させる。
【００５３】
次いで、図２に示すように第１乃至第３防振ゴム保持部２１，２２，２３に保持された防振ゴム３，３，３の端面が、第１乃至第３当接片１４，１５，１６に当接するようにファン２を支持具１に対向配置する。そして、ビス４，４，４を防振ゴム３，３，３の孔部３ｂ，３ｂ，３ｂに挿通させ、ビス４，４，４をビス孔１４ａ，１５ａ，１６ａに螺合させ、ファン２を支持具１に固定させる。
【００５４】
実施の形態１に係る支持具付きファンＡにあっては、厚み及び部品点数の増加を抑えつつ、ファン２の回転による騒音を防止することができ、しかもヒートシンクに対するファン２の位置決めを行い、効率的に支持具１をヒートシンクに固定することができる。
【００５５】
また、図１９に示した台座１７及びファン固定用ねじ９が不要であるため、台座１７及びファン固定用ねじ９の頭部の幅だけ小型化することができ、部品点数の増加を抑えることができる。
【００５６】
更に、図１９に示すようにファン２と台座１７とが接触することによって騒音が発生することはない。
【００５７】
更にまた、図１９に示すようにファン２の枠部２０を台座１７にねじ止めすることが不要であるため、ねじ止めによって枠部２０が撓み、騒音が発生することはない。
【００５８】
更にまた、第１乃至第３防振ゴム保持部２１，２２，２３の開口方向から防振ゴム３，３，３を押し込むことで防振ゴム３，３，３を保持させることができ、簡易に支持具付きファンＡを組み立てることができる。
【００５９】
更にまた、第１乃至第３防振ゴム保持部２１，２２，２３の開口方向が異なるように構成しているため、ファン２が支持具１から脱落することを防止し、支持具付きファンＡの姿勢に関わらず、ファン２を安定して支持することができる。
【００６０】
なお、実施の形態１にあっては、ヒートシンクに対する固定箇所を位置決めするための第１穴部及び第２穴部を備えた支持具付きファンを説明したが、位置決め可能であれば、他の形状であっても良い。例えば、位置決め用の凸部又は凹部を備えるように構成しても良い。
【００６１】
また、ファンの枠部に３つの第１乃至第３防振ゴム保持部を備えているが、４つ以上の防振ゴム保持部を備えるように構成しても良い。但し、３つの第１乃至第３防振ゴム保持部を備え、３点でファンを支持具に支持させるように構成した方が、最も低コストで、しかも安定してファンを支持具に支持させることができる。
【００６２】
更に、第１乃至第３防振ゴム保持部を凹形状に形成してあるが、防振ゴムを保持することができるのであれば他の形状であっても良い。例えば、防振ゴムに凹部を形成し、該凹部に嵌合する凸部を第１乃至第３防振ゴム保持部に形成しても良い。
【００６３】
（実施の形態２）
図７は、本発明の実施の形態２に係る映像表示装置を模式的に示す正面側の斜視図、図８は、映像表示装置を模式的に示す背面側の斜視図である。
【００６４】
実施の形態２に係る映像表示装置は、テレビ映像を表示する映像表示面５ａを正面側に有し、正面視矩形をなす映像表示部５と、映像表示面５ａが露出するように映像表示部５を収容するキャビネット６とを備えている。キャビネット６は、前キャビネット６１及び後キャビネット６２からなり、図示しないビスで固定されている。
【００６５】
映像表示部５は、液晶パネル、液晶パネルの背面側に配置された光学シート、直下型バックライトユニット、回路基板等を備えている。
【００６６】
直下型バックライトユニットは、図示しない冷陰極蛍光管、冷陰極蛍光管を支持するバックライトシャーシ７（図９参照）等を備えている。バックライトシャーシ７は、映像表示部５で発生した熱を放熱するためのヒートシンクを兼ねている。
【００６７】
図９は、後キャビネット６２を取り外した映像表示装置を模式的に示す背面図、図１０は、バックライトシャーシ７にねじ止め固定された支持具付きファンＡを模式的に示す背面図である。
【００６８】
映像表示装置は、バックライトシャーシ７を介して映像表示部５の熱を放熱するための支持具付きファンＡを備えている。支持具付きファンＡの構成は、実施の形態１に係る支持具付きファンＡと同様である。
【００６９】
バックライトシャーシ７は、ファン２が後キャビネット６２に形成された排気孔６２ａに対向するように支持具１を位置決めし、且つ防振ゴム３，３，３が下方に偏在、つまり支持具１の第３辺部分１０ｃが下方に、第４辺部分１０ｄが上方に位置するようにファン２の姿勢を決定するための嵌合凸部７ａ，７ｂを備えている。
支持具１は、第１及び第２穴部１１ｃ，１２ｃに嵌合凸部７ａ，７ｂが嵌合することで位置決めされる。また、支持具固定用ビス８，８，８が支持具固定用ビス孔１１ｂ，１２ｂ，１３ｂを挿通し、バックライトシャーシ７に螺合することによって、支持具１はバックライトシャーシ７にねじ止め固定される。
【００７０】
このように構成された映像表示装置にあっては、防振ゴム３，３，３が上方に偏在するようにファン２がバックライトシャーシ７に固定された場合に比べ、ファン２の回転による振動又は落下による衝撃をより効果的に吸収することができる。
【００７１】
また、温められた空気をキャビネット６の外部へ排気するためには、バックライトシャーシ７に設けられたファン２と、後キャビネット６２に形成された排気孔６２ａとが対向するように、支持具付きファンＡを位置決めする必要があるところ、支持具１は、位置決め用の第１及び第２穴部１１ｃ，１２ｃを備え、バックライトシャーシ７には第１及び第２穴部１１ｃ，１２ｃに嵌合する嵌合凸部７ａ，７ｂが形成されているため、バックライトシャーシ７に対するファン２の位置決めを行い、効率的に支持具１をバックライトシャーシ７に固定することができる。
【００７２】
更に、防振ゴム３，３，３が支持具１とファン２との間に介装されているため、ファン２の回転による振動はファン２から支持具１へ伝達しない。従って、支持具１の第１及び第２穴部１１ｃ，１２ｃと、バックライトシャーシ７の嵌合凸部７ａ，７ｂとの接触部分で騒音が発生することを防止することができる。
つまり、ファン２の回転による騒音を防止することができ、且つバックライトシャーシ７に対する位置決めを行い、効率的に映像表示装置を構成することができる。
【００７３】
実施の形態２に係る支持具付きファンＡの構成、作用及び効果は、実施の形態１に係る支持具付きファンＡの構成、作用及び効果と同様であるため、対応する箇所には同様の符号を付してその詳細な説明を省略する。
【００７４】
なお、実施の形態２にあっては、液晶パネルを備えた映像表示部を説明したが、映像を表示する発熱性の映像表示部であれば、プラズマディスプレイのような他の映像表示部を用いて映像表示装置を構成しても良い。
【００７５】
（実施の形態３）
図１１は、本発明の実施の形態３に係るファン３０２を模式的に示す正面図である。本発明の実施の形態３に係るファン３０２は、実施の形態１に係るファン２と同様の枠部３２０と、第１乃至第３防振ゴム保持部３２１，３２２，３２３とを備えており、第１乃至第３防振ゴム保持部３２１，３２２，３２３の構成のみが実施の形態１に係るファン３０２と異なるため、以下では主に上記相違点を説明する。
【００７６】
第１乃至第３防振ゴム保持部３２１，３２２，３２３は、同一方向に開口した凹状部分を備えている。具体的には、枠部３２０の一辺に形成された第１及び第２防振ゴム保持部３２１，３２２は、該一辺に略平行な方向に開口しており、前記一辺に略平行な他辺に形成された第３防振ゴム保持部３２３は、第１及び第２防振ゴム保持部３２１，３２２と同一方向に開口している。
【００７７】
図１２は、本発明の実施の形態３に係る映像表示装置のバックライトシャーシ７にねじ止め固定された支持具付きファンＢを模式的に示す背面図である。
【００７８】
映像表示装置が備えるバックライトシャーシ７は、実施の形態２に係るバックライトシャーシ７と同様の構成であり、支持具１は、実施の形態１に係る支持具１と同様の支持枠１０と、第１乃至第３脚部１１，１２，１３と、第１乃至第３当接片１４，１５，１６とを備えている。第１乃至第３当接片１４，１５，１６には、防振ゴム３，３，３がねじ止め固定されており、ファン３０２の第１乃至第３防振ゴム保持部３２１，３２２，３２３は、第１乃至第３当接片１４，１５，１６に固定された防振ゴム３，３，３を挟持している。
【００７９】
次に、支持具１にファン３０２を支持させる組立工程を説明する。
図１３は、支持具１にファン３０２を支持させる組立工程を示す模式図である。まず、支持具１の第１乃至第３当接片１４，１５，１６に、防振ゴム３，３，３をビス４，４，４によってビス止め固定する。
次いで、第１乃至第３当接片１４，１５，１６に固定された防振ゴム３，３，３と、第１乃至第３防振ゴム保持部３２１，３２２，３２３の凹状部分とを横方向から対向させ、前記凹状部分の開口方向へファン３０２をスライドさせることで、第１乃至第３防振ゴム保持部３２１，３２２，３２３に防振ゴム３，３，３を保持させる。
【００８０】
このように構成された実施の形態３に係るファン３０２、支持具付きファンＢ及び映像表示装置にあっては、防振ゴム３，３，３の開口方向が一致するように構成されているため、支持具１に防振ゴム３，３，３を固定した状態で、ファン３０２を着脱することができ、組立及び保守点検を容易に行うことができる。
【００８１】
また、第１乃至第３防振ゴム保持部３２１，３２２，３２３は、開口方向が水平方向になるように構成しているため、鉛直下方向又は上方向の力がファン３０２に加わった場合であっても、第１乃至第３防振ゴム保持部３２１，３２２，３２３から防振ゴム３，３，３が外れるような力は加わらず、ファン３０２が支持具１から脱落することを防止することができる。
【００８２】
実施の形態３に係るファン３０２、支持具付きファンＢ及び映像表示装置の他の構成、作用及び効果は実施の形態１及び実施の形態２に係るファン２、支持具付きファンＡ及び映像表示装置の構成、作用及び効果と同様であるため、対応する箇所には同様の符号を付して詳細な説明を省略する。
【００８３】
（実施の形態４）
図１４は、本発明の実施の形態４に係るファン４０２を模式的に示す斜視図である。本発明の実施の形態４に係るファン４０２は、実施の形態１に係るファン４０２と同様の枠部４２０と、第１乃至第３防振ゴム保持部４２１，４２２，４２３とを備えており、第１乃至第３防振ゴム保持部４２１，４２２，４２３の構成のみが実施の形態１に係るファン４０２と異なるため、以下では主に上記相違点を説明する。
【００８４】
第１乃至第３防振ゴム保持部４２１，４２２，４２３は、同一方向に開口した凹状部分を備えている。具体的には、枠部４２０の一辺に形成された第１及び第２防振ゴム保持部４２１，４２２は、該一辺に略平行な方向に開口しており、前記一辺に略平行な他辺に形成された第３防振ゴム保持部４２３は、第１及び第２防振ゴム保持部４２１，４２２と逆方向に開口している。
【００８５】
図１５は、本発明の実施の形態４に係る映像表示装置のバックライトシャーシ７にねじ止め固定された支持具付きファンＣを模式的に示す背面図である。
【００８６】
映像表示装置が備えるバックライトシャーシ７は、実施の形態２に係るバックライトシャーシ７と同様の構成であり、支持具１は、実施の形態１に係る支持具１と同様の支持枠１０、第１乃至第３脚部１１，１２，１３及び第１乃至第３当接片１４，１５，１６を備えている。第１乃至第３当接片１４，１５，１６には、防振ゴム３，３，３がねじ止め固定されており、ファン４０２の第１乃至第３防振ゴム保持部４２１，４２２，４２３は、第１乃至第３当接片１４，１５，１６に固定された防振ゴム３，３，３を挟持している。
【００８７】
図１６及び図１７は、支持具１にファン４０２を支持させる組立工程を示す模式図である。まず、支持具１の第１乃至第３当接片１４，１５，１６に、防振ゴム３，３，３をビス４，４，４によってビス止め固定する。
次いで、第１乃至第３当接片１４，１５，１６に固定された防振ゴム３，３，３と、第１乃至第３防振ゴム保持部４２１，４２２，４２３の凹状部分とを対向させ、ファン４０２を凹状部分の開口方向へ回転させることで、第１乃至第３防振ゴム保持部４２１，４２２，４２３に防振ゴム３，３，３を保持させる。
例えば、ファン４０２を回転させることで最初に第３防振ゴム保持部４２３に防振ゴム３を保持させ、更にファン４０２を回転させて第１及び第２防振ゴム保持部４２１、４２２に防振ゴム３，３を保持させると良い。
【００８８】
このように構成された実施の形態４に係るファン４０２、支持具付きファンＣ及び映像表示装置にあっては、支持具１に防振ゴム３，３，３を固定した状態で、ファン４０２を枠部４２０の周方向に回転させることでファン４０２を着脱することができる。
【００８９】
また、ファン４０２が支持具１から脱落することを防止し、支持具付きファンＣの姿勢に関わらず安定してファン４０２を支持することができる。
【００９０】
実施の形態４に係るファン４０２、支持具付きファンＣ及び映像表示装置の他の構成、作用及び効果は実施の形態１及び実施の形態２に係るファン２、支持具付きファンＡ及び映像表示装置の構成、作用及び効果と同様であるため、対応する箇所には同様の符号を付して詳細な説明を省略する。
【００９１】
（実施の形態５）
図１８は、本発明の実施の形態５に係るファン５０２を模式的に示す斜視図である。
実施の形態５に係るファン５０２は、円筒状の枠部５２０を備えている。枠部５２０は、実施の形態１に係るファン２と同様、内側に延設された４本の腕部、円盤状部分、モータ等を備えている。
【００９２】
枠部５２０の周面、中心線方向一端側部分には、径方向外側の四方へ突出しており、正方形の各頂点部分を構成するような略三角形状をなす防振ゴム保持部５２１，５２２，５２３，５２４が形成されている。防振ゴム保持部５２１，５２２，５２３，５２４は、防振ゴムを挟持すべく、径方向外側へ開口した凹状部分を頂点に有している。
【００９３】
このように構成された実施の形態５に係るファン５０２にあっても、実施の形態１と同様、支持具１に支持させることができ、実施の形態１に係るファン２及び支持具付きファンＡと同様の作用及び効果を得ることができる。
【００９４】
また、ファン５０２を支持具１に支持してなる支持具付きファンＤを映像表示装置のバックライトシャーシ７に固定することにより、実施の形態２に係る映像表示装置と同様の作用及び効果を得ることができる。
【００９５】
実施の形態５に係るファン５０２、支持具付きファンＤ及び映像表示装置の他の構成、作用及び効果は実施の形態１に及び実施の形態２係るファン２、支持具付きファンＡ及び映像表示装置の構成、作用及び効果と同様であるため、対応する箇所には同様の符号を付して詳細な説明を省略する。
【図面の簡単な説明】
【００９６】
【図１】本発明の実施の形態１に係る支持具付きファンを模式的に示す斜視図である。
【図２】支持具付きファンを模式的に示す分解斜視図である。
【図３】支持具を模式的に示す正面図である。
【図４】ファンを模式的に示す斜視図である。
【図５】防振ゴムの取付方法を模式的に示す斜視図である。
【図６】第１乃至第３防振ゴム保持部に防振ゴムを保持させたファンを模式的に示す斜視図である。
【図７】本発明の実施の形態２に係る映像表示装置を模式的に示す正面側の斜視図である。
【図８】映像表示装置を模式的に示す背面側の斜視図である。
【図９】後キャビネットを取り外した映像表示装置を模式的に示す背面図である。
【図１０】バックライトシャーシにねじ止め固定された支持具付きファンを模式的に示す背面図である。
【図１１】本発明の実施の形態３に係るファンを模式的に示す正面図である。
【図１２】本発明の実施の形態３に係る映像表示装置のバックライトシャーシにねじ止め固定された支持具付きファンを模式的に示す背面図である。
【図１３】支持具にファンを支持させる組立工程を示す模式図である。
【図１４】本発明の実施の形態４に係るファンを模式的に示す斜視図である。
【図１５】本発明の実施の形態４に係る映像表示装置のバックライトシャーシにねじ止め固定された支持具付きファンを模式的に示す背面図である。
【図１６】支持具にファンを支持させる組立工程を示す模式図である。
【図１７】支持具にファンを支持させる組立工程を示す模式図である。
【図１８】本発明の実施の形態５に係るファンを模式的に示す斜視図である。
【図１９】騒音の問題を解決可能な支持具付きファンを模式的に示す斜視図である。
【図２０】台座及びファンの分解斜視図である。
【図２１】台座及びファンの組立完成図である。
【符号の説明】
【００９７】
１  支持具
２  ファン
３  防振ゴム（防振部材）
４  ビス
５  映像表示部
６  キャビネット
７  バックライトシャーシ（ヒートシンク）
７ａ，７ｂ  嵌合凸部
８  支持具固定用ビス
１１ｃ  第１穴部
１２ｃ  第２穴部
２０  枠部
２１  第１防振ゴム保持部
２２  第２防振ゴム保持部
２３  第３防振ゴム保持部
Ａ  支持具付きファン
【図１】
2008130766.tif 000003
【図２】
2008130766.tif 000004
【図３】
2008130766.tif 000005
【図４】
2008130766.tif 000006
【図５】
2008130766.tif 000007
【図６】
2008130766.tif 000008
【図７】
2008130766.tif 000009
【図８】
2008130766.tif 000010
【図９】
2008130766.tif 000011
【図１０】
2008130766.tif 000012
【図１１】
2008130766.tif 000013
【図１２】
2008130766.tif 000014
【図１３】
2008130766.tif 000015
【図１４】
2008130766.tif 000016
【図１５】
2008130766.tif 000017
【図１６】
2008130766.tif 000018
【図１７】
2008130766.tif 000019
【図１８】
2008130766.tif 000020
【図１９】
2008130766.tif 000021
【図２０】
2008130766.tif 000022
【図２１】
2008130766.tif 000023